(57)【要約】    【課題】  非接触ＩＣチップに対する情報の書き込みまたは読み出しが成功した非接触ＩＣチップ付記録媒体と非接触ＩＣチップに対する情報の書き込みまたは読み出しが失敗した記録媒体とを区別して出力することができる画像形成装置を提供する。    【解決手段】  給紙される用紙が非接触ＩＣチップ付用紙であるとして、ＩＣチップリーダライタ１０９により給紙される用紙の非接触ＩＣチップへの情報の書き込みが行われる。そして、非接触ＩＣチップへの情報の書き込みが成功した場合、給紙された用紙に対して画像形成が行われ、画像形成された用紙は指定された排紙トレイへ排紙される。これに対し、非接触ＩＣチップへの情報の書き込みが成功しなかった場合、給紙された用紙は、画像形成が行われることなく、非接触ＩＣチップへの情報の書き込みが成功した用紙の排紙先トレイとは異なる排紙先トレイへ排紙される。【選択図】      図２
2006110802.tif 000002
【特許請求の範囲】
【請求項１】
画像を記録媒体上に形成する画像形成装置であって、
前記記録媒体が非接触ＩＣチップ付記録媒体であるとして、該記録媒体に対して情報の読み出し動作または書き込み動作を非接触で行う読み書き手段と、
前記読み書き手段により前記記録媒体に対して行われた情報の読み出し動作または書き込み動作の結果に応じて前記記録媒体上への画像形成を行うか否かを制御する制御手段と
を備えること特徴とする画像形成装置。
【請求項２】
画像を記録媒体上に形成する画像形成装置であって、
前記記録媒体が非接触ＩＣチップ付記録媒体であるとして、該記録媒体に対して少なくとも情報の書き込み動作を非接触で行うことが可能な書き込み手段と、
前記書き込み手段により前記記録媒体に対して行われた情報の書き込み動作の結果に応じて前記記録媒体上への画像形成を行うか否かを制御する制御手段と
を備えること特徴とする画像形成装置。
【請求項３】
前記制御手段は、前記書き込み手段により前記給紙された記録媒体に対して行われた情報の書き込み動作の結果に基づいて該給紙された記録媒体が正常な非接触ＩＣチップ付記録媒体であるか否かを判別し、該判別結果に基づいて前記給紙された記録媒体上への画像形成を行うか否かを制御すること特徴とする請求項２記載の画像形成装置。
【請求項４】
前記制御手段は、前記給紙された記録媒体が正常な非接触ＩＣチップ付記録媒体であると判別した場合、該給紙された記録媒体上への画像形成を行い、該画像形成が行われた記録媒体を所定の排紙先へ排紙し、前記給紙された記録媒体が正常な非接触ＩＣチップ付記録媒体でないと判別した場合、該給紙された記録媒体上への画像形成を中止し、該画像形成が中止された記録媒体を前記画像形成された記録媒体の排紙先と異なる排紙先へ排紙するように制御すること特徴とする請求項３記載の画像形成装置。
【請求項５】
前記判別結果に基づいて前記給紙された記録媒体への画像形成を制御するモードを第１のモードとし、前記判別を行うことなく、前記給紙された記録媒体への画像形成を連続して行うモードを第２のモードとし、ユーザの操作により、前記第１および第２のモードのいずれか一方を選択する選択手段を備え、
前記制御手段は、前記選択手段により選択されたモードを実行するように制御することを特徴とする請求項３記載の画像形成装置。
【請求項６】
前記給紙された記録媒体の表裏面を反転して、再給紙する反転再給紙手段を備え、
前記制御手段は、前記給紙された記録媒体が正常な非接触ＩＣチップ付記録媒体でないと判別した場合、前記給紙された記録媒体への画像形成を実行し、前記反転再給紙手段により前記記録媒体を再給紙し、
前記書き込み手段は、前記再給紙された記録媒体に対して情報の書き込み動作を行い、
前記制御手段は、前記書き込み手段により前記再給紙された記録媒体に対して行われた情報の書き込み動作の結果に基づいて該再給紙された記録媒体が正常な非接触ＩＣチップ付記録媒体であるか否かを判別し、該判別結果に基づいて該再給紙された記録媒体上への画像形成を行うか否かを制御すること特徴とする請求項３記載の画像形成装置。
【請求項７】
前記制御手段は、前記再給紙された記録媒体が正常な非接触ＩＣチップ付記録媒体であると判別した場合、該再給紙された記録媒体上への画像形成を行い、該画像形成が行われた記録媒体を所定の排紙先へ排紙し、前記再給紙された記録媒体が正常な非接触ＩＣチップ付記録媒体でないと判別した場合、該再給紙された記録媒体上への画像形成を中止し、該画像形成が中止された記録媒体を前記画像形成された記録媒体の排紙先と異なる排紙先へ排紙するように制御すること特徴とする請求項６記載の画像形成装置。
【請求項８】
前記書き込み手段は、前記記録媒体に対して情報の読み出し動作を行うことが可能であり、前記記録媒体に対して前記制御手段によって書き込みが指示された情報の書き込み動作を行い、該書き込み動作後に該記録媒体に対して情報の読み出し動作を行い、
前記制御手段は、前記書き込み手段に書き込みを指示した情報と前記書き込み手段の前記読み出し動作により得られた情報との比較結果に基づいて前記記録媒体が正常な非接触ＩＣチップ付記録媒体であるか否かを判別することを特徴とする請求項２ないし７のいずれか１つに記載の画像形成装置。
【請求項９】
画像を記録媒体上に形成し、該画像形成された記録媒体を所定の排紙先へ排紙する画像形成装置であって、
前記記録媒体が非接触ＩＣチップ付記録媒体であるとして、該記録媒体に対して情報の読み出しまたは書き込み動作を非接触で行う読み書き手段と、
前記読み書き手段により前記記録媒体に対して行われた情報の読み出しまたは書き込み動作の結果に基づいて画像形成後の記録媒体の排紙先を変更する制御手段と
を備えることを特徴とする画像形成装置。
【請求項１０】
画像を記録媒体上に形成する画像形成装置であって、
前記給紙された記録媒体が非接触ＩＣチップ付記録媒体であるとして、該給紙された記録媒体に対して情報の読み出し動作を非接触で行う読み出し手段と、
前記読み出し手段により前記給紙された記録媒体に対して行われた情報の読み出し動作の結果に基づいて前記給紙された記録媒体への画像形成を行うか否かを制御する制御手段と
を備えること特徴とする画像形成装置。
【請求項１１】
前記制御手段は、前記読み出し手段により前記給紙された記録媒体に対して行われた情報の読み出し動作の結果に基づいて前記給紙された記録媒体が正常な非接触ＩＣチップ付記録媒体であるか否かを判別し、前記給紙された記録媒体が正常な非接触ＩＣチップ付記録媒体であると判別した場合、該給紙された記録媒体上への画像形成を行い、該画像形成が行われた記録媒体を所定の排紙先へ排紙し、前記給紙された記録媒体が正常な非接触ＩＣチップ付記録媒体でないと判別した場合、該給紙された記録媒体上への画像形成を中止し、該画像形成が中止された記録媒体を前記画像形成された記録媒体の排紙先と異なる排紙先へ排紙するように制御すること特徴とする請求項１０記載の画像形成装置。
【請求項１２】
前記給紙された記録媒体の表裏面を反転して、再給紙する反転再給紙手段を備え、
前記制御手段は、前記読み出し手段により前記給紙された記録媒体に対して行われた情報の読み出し動作の結果に基づいて前記給紙された記録媒体が正常な非接触ＩＣチップ付記録媒体であるか否かを判別し、前記給紙された記録媒体が正常な非接触ＩＣチップ付記録媒体でないと判別した場合、前記給紙された記録媒体上への画像形成を行うことなく、前記反転再給紙手段により前記記録媒体を再給紙し、
前記読み出し手段は、前記再給紙された記録媒体に対して情報の読み出し動作を行い、
前記制御手段は、前記読み出し手段により前記再給紙された記録媒体に対して行われた情報の読み出し動作の結果に基づいて該再給紙された記録媒体が正常な非接触ＩＣチップ付記録媒体であるか否かを判別し、
前記制御手段は、前記再給紙された記録媒体が正常な非接触ＩＣチップ付記録媒体であると判別された場合、該再給紙された記録媒体上への画像形成を行い、該画像形成が行われた記録媒体を所定の排紙先へ排紙し、前記再給紙された記録媒体が正常な非接触ＩＣチップ付記録媒体でないと判別された場合、該給紙された記録媒体上への画像形成を中止し、該画像形成が中止された記録媒体を前記画像形成された記録媒体の排紙先と異なる排紙先へ排紙するように制御すること特徴とする請求項１０記載の画像形成装置。
【請求項１３】
前記記録媒体を反転して排紙先へ排紙する反転排紙手段を備え、
前記制御手段は、前記再給紙されて画像形成が行われた記録媒体を所定の排紙先へ排紙する際に、前記反転排紙手段により前記記録媒体を反転させた後に所定の排紙先へ排紙するように制御することを特徴とした請求項１２記載の画像形成装置。
【請求項１４】
記録媒体が非接触ＩＣチップ付記録媒体であるとして、該記録媒体に対して情報の書き込み動作を非接触で行うことが少なくとも可能な書き込み手段を有し、画像を記録媒体上に形成する画像形成装置の制御方法であって、
前記書き込み手段により前記記録媒体に対して行われた情報の書き込み動作を行う工程と、
前記書き込み手段により前記記録媒体に対して行われた情報の書き込み動作の結果に応じて前記記録媒体上への画像形成を行うか否かを制御する工程と
を有すること特徴とする画像形成装置の制御方法。
【請求項１５】
記録媒体が非接触ＩＣチップ付記録媒体であるとして、該記録媒体に対して情報の読み出し動作または書き込み動作を非接触で行う読み書き手段を有し、画像を記録媒体上に形成し、該画像形成された記録媒体を所定の排紙先へ排紙する画像形成装置の制御方法であって、
前記読み書き手段により前記記録媒体に対して行われた情報の読み出し動作または書き込み動作を行う工程と、
前記読み書き手段により前記記録媒体に対して行われた情報の読み出動作しおよび書き込み動作の結果に基づいて画像形成後の記録媒体の排紙先を変更する工程と
を有することを特徴とする画像形成装置の制御方法。
【請求項１６】
記録媒体が非接触ＩＣチップ付記録媒体であるとして、該記録媒体に対して情報の読み出し動作を非接触で行う読み出し手段を有し、画像を記録媒体上に形成する画像形成装置の制御方法であって、
前記読み出し手段により前記記録媒体に対して行われた情報の読み出し動作を行う工程と、
前記読み出し手段により前記記録媒体に対して行われた情報の読み出し動作の結果に基づいて前記記録媒体への画像形成を行うか否かを制御する工程と
を有すること特徴とする画像形成装置の制御方法。
【請求項１７】
記録媒体の画像形成面を第１面から第２面に反転して該記録媒体を再給紙する反転再給紙手段と、前記記録媒体が非接触ＩＣチップ付記録媒体であるとして、該記録媒体に対して情報の書き込み動作を非接触で行うことが少なくとも可能な書き込み手段とを有し、記録媒体の両面のそれぞれに対応する画像を形成する両面モードを実行可能な画像形成装置の制御方法であって、
前記書き込み手段により前記記録媒体の第１面への画像形成前に該記録媒体に対して情報の書き込み動作を行う工程と、
前記書き込み手段により前記記録媒体の第１面への画像形成前に該記録媒体に対して行われた情報の書き込み動作の結果に基づいて該記録媒体が正常な非接触ＩＣチップ付記録媒体であるか否かを判別し、該記録媒体が正常な非接触ＩＣチップ付記録媒体でないと判別された場合、前記記録媒体の第１面への画像形成後に、前記反転再給紙手段により前記記録媒体を再給紙するように制御する工程と、
前記書き込み手段により、前記再給紙された記録媒体に対して情報の書き込み動作を行う工程と、
前記再給紙された記録媒体に対して行われた書き込み動作の結果に基づいて、該再給紙された記録媒体が正常な非接触ＩＣチップ付記録媒体であるか否かを判別し、該判別結果に基づいて前記再給紙された記録媒体の第２面への画像形成を行うか否かを制御する工程と
を有することを特徴とする画像形成装置の制御方法。
【請求項１８】
記録媒体が非接触ＩＣチップ付記録媒体であるとして、該記録媒体に対して情報の書き込み動作を非接触で行うことが少なくとも可能な書き込み手段を有し、画像を記録媒体上に形成する画像形成装置を制御するためのプログラムであって、
前記書き込み手段により前記記録媒体に対して行われた情報の書き込み動作を行うように制御する書き込み制御モジュールと、
前記書き込み手段により前記記録媒体に対して行われた情報の書き込み動作の結果に応じて前記記録媒体上への画像形成を行うか否かを制御する画像形成制御モジュールと
を有すること特徴とするプログラム。
【請求項１９】
記録媒体が非接触ＩＣチップ付記録媒体であるとして、該記録媒体に対して情報の読み出し動作または書き込み動作を非接触で行う読み書き手段を有し、画像を記録媒体上に形成する画像形成装置を制御するためのプログラムであって、
前記読み書き手段により前記記録媒体に対して行われた情報の読み出し動作または書き込み動作を行うように制御する読み書き制御モジュールと、
前記読み書き手段により前記記録媒体に対して行われた情報の読み出動作または書き込み動作の結果に基づいて画像形成後の記録媒体の排紙先を変更する排紙先変更制御モジュールと
を有することを特徴とするプログラム。
【請求項２０】
記録媒体が非接触ＩＣチップ付記録媒体であるとして、該記録媒体に対して情報の読み出し動作を非接触で行う読み出し手段を有し、画像を記録媒体上に形成する画像形成装置を制御するためのプログラムであって、
前記読み出し手段により前記記録媒体に対して情報の読み出し動作を行うように制御する読み出し制御モジュールと、
前記読み出し手段により前記記録媒体に対して行われた情報の読み出し動作の結果に基づいて前記記録媒体への画像形成を行うか否かを制御する画像形成制御モジュールと
を有すること特徴とするプログラム。
【請求項２１】
記録媒体の画像形成面を第１面から第２面に反転して該記録媒体を再給紙する反転再給紙手段と、前記記録媒体が非接触ＩＣチップ付記録媒体であるとして、該記録媒体に対して情報の書き込み動作を非接触で行うことが少なくとも可能な書き込み手段とを有し、記録媒体の両面のそれぞれに対応する画像を形成する両面モードを実行可能な画像形成装置を制御するためのプログラムであって、
前記書き込み手段により前記記録媒体の第１面への画像形成前に該記録媒体に対して情報の書き込み動作を行うように制御する第１の書き込み制御モジュールと、
前記書き込み手段により前記記録媒体の第１面への画像形成前に該記録媒体に対して行われた情報の書き込み動作の結果に基づいて該記録媒体が正常な非接触ＩＣチップ付記録媒体であるか否かを判別し、該記録媒体が正常な非接触ＩＣチップ付記録媒体でないと判別された場合、前記記録媒体の第１面への画像形成後に、前記反転再給紙手段により前記記録媒体を再給紙するように制御する第１の画像形成制御モジュールと、
前記書き込み手段により、前記再給紙された記録媒体に対して情報の書き込み動作を行うように制御する第２の書き込み制御モジュールと、
前記再給紙された記録媒体に対して行われた書き込み動作の結果に基づいて、該再給紙された記録媒体が正常な非接触ＩＣチップ付記録媒体であるか否かを判別し、該判別結果に基づいて前記再給紙された記録媒体の第２面への画像形成を行うか否かを制御する第２の画像形成制御モジュールと
を有することを特徴とするプログラム。
【請求項２２】
請求項１８ないし２１のいずれか１つに記載のプログラムをコンピュータ読み取り可能に格納したことを特徴とする記憶媒体。
【発明の詳細な説明】
【技術分野】
【０００１】
本発明は、画像を記録媒体上に形成する画像形成装置、その制御方法、プログラムおよび記憶媒体に関する。
【背景技術】
【０００２】
近年、非接触ＩＣチップが埋め込まれている非接触ＩＣチップ付用紙を使用し、非接触ＩＣチップ付用紙への印刷の際に、非接触ＩＣチップへの情報の書き込みを行うプリンタ、また、非接触ＩＣチップ付用紙の非接触ＩＣチップ内の情報に基づいて印刷処理を行うプリンタが提案されている（例えば、特許文献１を参照）。
【０００３】
非接触ＩＣチップ付用紙への印刷の際に非接触ＩＣチップへの情報の書き込みを行うプリンタにおいては、入力された画像データに非接触ＩＣチップへ書き込まれるべき情報が含まれる場合、この情報が非接触ＩＣチップに書き込まれるとともに、入力された画像データに基づいた非接触ＩＣチップ付用紙への印刷が行われる。
【０００４】
また、給紙される非接触ＩＣチップ付用紙がなくなると、非接触ＩＣチップ付用紙の非接触ＩＣチップへ書き込まれる情報がＱＲコードに変換され、このＱＲコードが入力された画像データとともに、非接触ＩＣチップ付用紙に代わる通常の用紙（非接触ＩＣチップがない用紙）へ印刷される技術が提案されている（例えば、特許文献１を参照）。
【０００５】
また、非接触ＩＣチップ付用紙の非接触ＩＣチップへ情報が書き込めなかった場合に、次の非接触ＩＣチップ付用紙上に前回の内容を印刷するとともに、非接触ＩＣチップ付用紙の非接触ＩＣチップにも前回のデータを書き込むことを行う技術が提案されている（例えば、特許文献２を参照）。
【特許文献１】特開２００２−３３７４２６号公報
【特許文献２】特開２００３−２８８５５７号公報
【発明の開示】
【発明が解決しようとする課題】
【０００６】
しかしながら、上述した、非接触ＩＣチップ付用紙がなくなると、ＱＲコードを入力された画像データとともに通常の用紙へ印刷する技術の場合、ＱＲコードを通常の用紙へ印刷することによって情報の不足を補うことが可能であるが、この技術の場合、例えば非接触ＩＣチップへの情報の書き込みが失敗した非接触ＩＣチップ付用紙が出力されることがあり、出力された非接触ＩＣチップ付用紙は、非接触ＩＣチップへ書き込むべき情報が欠落したものとなる。
【０００７】
また、非接触ＩＣチップ付用紙の非接触ＩＣチップへ情報が書き込めなかった場合に、次の非接触ＩＣチップ付用紙上に前回の内容を印刷するとともに、非接触ＩＣチップ付用紙の非接触ＩＣチップにも前回のデータを書き込むことを行う技術を用いれば、非接触ＩＣチップへの情報の書き込みが成功した所定枚数の非接触ＩＣチップ付用紙を得ることはできるが、出力された複数の非接触ＩＣチップ付用紙の束は、非接触ＩＣチップへの情報の書き込みが成功したものと失敗したものとが混在したものとなるので、ユーザが、その束の用紙を、それぞれ、非接触ＩＣチップへの情報の書き込みが成功した用紙と失敗した用紙とに選別する必要がある。
【０００８】
本発明の目的は、非接触ＩＣチップに対する情報の書き込みまたは読み出しが成功した非接触ＩＣチップ付記録媒体と非接触ＩＣチップに対する情報の書き込みまたは読み出しが失敗した記録媒体とを区別して出力することができる画像形成装置、制御方法、プログラムおよび記憶媒体を提供する。
【課題を解決するための手段】
【０００９】
本発明は、上記目的を達成するため、画像を記録媒体上に形成する画像形成装置であって、前記記録媒体が非接触ＩＣチップ付記録媒体であるとして、該記録媒体に対して情報の読み出し動作または書き込み動作を非接触で行う読み書き手段と、前記読み書き手段により前記記録媒体に対して行われた情報の読み出し動作または書き込み動作の結果に応じて前記記録媒体上への画像形成を行うか否かを制御する制御手段とを備えること特徴とする画像形成装置を提供する。
【００１０】
本発明は、上記目的を達成するため、画像を記録媒体上に形成する画像形成装置であって、前記記録媒体が非接触ＩＣチップ付記録媒体であるとして、該記録媒体に対して少なくとも情報の書き込み動作を非接触で行うことが可能な書き込み手段と、前記書き込み手段により前記記録媒体に対して行われた情報の書き込み動作の結果に応じて前記記録媒体上への画像形成を行うか否かを制御する制御手段とを備えること特徴とする画像形成装置を提供する。
【００１１】
本発明は、上記目的を達成するため、画像を記録媒体上に形成し、該画像形成された記録媒体を所定の排紙先へ排紙する画像形成装置であって、前記記録媒体が非接触ＩＣチップ付記録媒体であるとして、該記録媒体に対して情報の読み出しまたは書き込み動作を非接触で行う読み書き手段と、前記読み書き手段により前記記録媒体に対して行われた情報の読み出しまたは書き込み動作の結果に基づいて画像形成後の記録媒体の排紙先を変更する制御手段とを備えることを特徴とする画像形成装置を提供する。
【００１２】
本発明は、上記目的を達成するため、画像を記録媒体上に形成する画像形成装置であって、前記給紙された記録媒体が非接触ＩＣチップ付記録媒体であるとして、該給紙された記録媒体に対して情報の読み出し動作を非接触で行う読み出し手段と、前記読み出し手段により前記給紙された記録媒体に対して行われた情報の読み出し動作の結果に基づいて前記給紙された記録媒体への画像形成を行うか否かを制御する制御手段とを備えること特徴とする画像形成装置を提供する。
【００１３】
本発明は、上記目的を達成するため、記録媒体が非接触ＩＣチップ付記録媒体であるとして、該記録媒体に対して情報の書き込み動作を非接触で行うことが少なくとも可能な書き込み手段を有し、画像を記録媒体上に形成する画像形成装置の制御方法であって、前記書き込み手段により前記記録媒体に対して行われた情報の書き込み動作を行う工程と、前記書き込み手段により前記記録媒体に対して行われた情報の書き込み動作の結果に応じて前記記録媒体上への画像形成を行うか否かを制御する工程とを有すること特徴とする画像形成装置の制御方法を提供する。
【００１４】
本発明は、上記目的を達成するため、記録媒体が非接触ＩＣチップ付記録媒体であるとして、該記録媒体に対して情報の読み出し動作または書き込み動作を非接触で行う読み書き手段を有し、画像を記録媒体上に形成し、該画像形成された記録媒体を所定の排紙先へ排紙する画像形成装置の制御方法であって、前記読み書き手段により前記記録媒体に対して行われた情報の読み出し動作または書き込み動作を行う工程と、前記読み書き手段により前記記録媒体に対して行われた情報の読み出動作しおよび書き込み動作の結果に基づいて画像形成後の記録媒体の排紙先を変更する工程とを有することを特徴とする画像形成装置の制御方法を提供する。
【００１５】
本発明は、上記目的を達成するため、記録媒体が非接触ＩＣチップ付記録媒体であるとして、該記録媒体に対して情報の読み出し動作を非接触で行う読み出し手段を有し、画像を記録媒体上に形成する画像形成装置の制御方法であって、前記読み出し手段により前記記録媒体に対して行われた情報の読み出し動作を行う工程と、前記読み出し手段により前記記録媒体に対して行われた情報の読み出し動作の結果に基づいて前記記録媒体への画像形成を行うか否かを制御する工程とを有すること特徴とする画像形成装置の制御方法を提供する。
【００１６】
本発明は、上記目的を達成するため、記録媒体の画像形成面を第１面から第２面に反転して該記録媒体を再給紙する反転再給紙手段と、前記記録媒体が非接触ＩＣチップ付記録媒体であるとして、該記録媒体に対して情報の書き込み動作を非接触で行うことが少なくとも可能な書き込み手段とを有し、記録媒体の両面のそれぞれに対応する画像を形成する両面モードを実行可能な画像形成装置の制御方法であって、前記書き込み手段により前記記録媒体の第１面への画像形成前に該記録媒体に対して情報の書き込み動作を行う工程と、前記書き込み手段により前記記録媒体の第１面への画像形成前に該記録媒体に対して行われた情報の書き込み動作の結果に基づいて該記録媒体が正常な非接触ＩＣチップ付記録媒体であるか否かを判別し、該記録媒体が正常な非接触ＩＣチップ付記録媒体でないと判別された場合、前記記録媒体の第１面への画像形成後に、前記反転再給紙手段により前記記録媒体を再給紙するように制御する工程と、前記書き込み手段により、前記再給紙された記録媒体に対して情報の書き込み動作を行う工程と、前記再給紙された記録媒体に対して行われた書き込み動作の結果に基づいて、該再給紙された記録媒体が正常な非接触ＩＣチップ付記録媒体であるか否かを判別し、該判別結果に基づいて前記再給紙された記録媒体の第２面への画像形成を行うか否かを制御する工程とを有することを特徴とする画像形成装置の制御方法を提供する。
【００１７】
本発明は、上記目的を達成するため、記録媒体が非接触ＩＣチップ付記録媒体であるとして、該記録媒体に対して情報の書き込み動作を非接触で行うことが少なくとも可能な書き込み手段を有し、画像を記録媒体上に形成する画像形成装置を制御するためのプログラムであって、前記書き込み手段により前記記録媒体に対して行われた情報の書き込み動作を行うように制御する書き込み制御モジュールと、前記書き込み手段により前記記録媒体に対して行われた情報の書き込み動作の結果に応じて前記記録媒体上への画像形成を行うか否かを制御する画像形成制御モジュールとを有すること特徴とするプログラムを提供する。
【００１８】
本発明は、上記目的を達成するため、記録媒体が非接触ＩＣチップ付記録媒体であるとして、該記録媒体に対して情報の読み出し動作または書き込み動作を非接触で行う読み書き手段を有し、画像を記録媒体上に形成する画像形成装置を制御するためのプログラムであって、前記読み書き手段により前記記録媒体に対して行われた情報の読み出し動作または書き込み動作を行うように制御する読み書き制御モジュールと、前記読み書き手段により前記記録媒体に対して行われた情報の読み出動作または書き込み動作の結果に基づいて画像形成後の記録媒体の排紙先を変更する排紙先変更制御モジュールとを有することを特徴とするプログラムを提供する。
【００１９】
本発明は、上記目的を達成するため、記録媒体が非接触ＩＣチップ付記録媒体であるとして、該記録媒体に対して情報の読み出し動作を非接触で行う読み出し手段を有し、画像を記録媒体上に形成する画像形成装置を制御するためのプログラムであって、前記読み出し手段により前記記録媒体に対して情報の読み出し動作を行うように制御する読み出し制御モジュールと、前記読み出し手段により前記記録媒体に対して行われた情報の読み出し動作の結果に基づいて前記記録媒体への画像形成を行うか否かを制御する画像形成制御モジュールとを有すること特徴とするプログラムを提供する。
【００２０】
本発明は、上記目的を達成するため、記録媒体の画像形成面を第１面から第２面に反転して該記録媒体を再給紙する反転再給紙手段と、前記記録媒体が非接触ＩＣチップ付記録媒体であるとして、該記録媒体に対して情報の書き込み動作を非接触で行うことが少なくとも可能な書き込み手段とを有し、記録媒体の両面のそれぞれに対応する画像を形成する両面モードを実行可能な画像形成装置を制御するためのプログラムであって、前記書き込み手段により前記記録媒体の第１面への画像形成前に該記録媒体に対して情報の書き込み動作を行うように制御する第１の書き込み制御モジュールと、前記書き込み手段により前記記録媒体の第１面への画像形成前に該記録媒体に対して行われた情報の書き込み動作の結果に基づいて該記録媒体が正常な非接触ＩＣチップ付記録媒体であるか否かを判別し、該記録媒体が正常な非接触ＩＣチップ付記録媒体でないと判別された場合、前記記録媒体の第１面への画像形成後に、前記反転再給紙手段により前記記録媒体を再給紙するように制御する第１の画像形成制御モジュールと、前記書き込み手段により、前記再給紙された記録媒体に対して情報の書き込み動作を行うように制御する第２の書き込み制御モジュールと、前記再給紙された記録媒体に対して行われた書き込み動作の結果に基づいて、該再給紙された記録媒体が正常な非接触ＩＣチップ付記録媒体であるか否かを判別し、該判別結果に基づいて前記再給紙された記録媒体の第２面への画像形成を行うか否かを制御する第２の画像形成制御モジュールとを有することを特徴とするプログラムを提供する。
【００２１】
本発明は、上記目的を達成するため、上記プログラムのいずれかをコンピュータ読み取り可能に格納したことを特徴とする記憶媒体を提供する。
【発明の効果】
【００２２】
本発明によれば、非接触ＩＣチップに対する情報の書き込みまたは読み出しが成功した非接触ＩＣチップ付記録媒体と非接触ＩＣチップに対する情報の書き込みまたは読み出しが失敗した記録媒体とを区別して出力することができる。
【発明を実施するための最良の形態】
【００２３】
以下、本発明の実施の形態について図面を参照しながら説明する。
【００２４】
（第１の実施の形態）
図１は本発明の第１の実施の形態に係る画像形成装置の構成を示すブロック図である。ここで、本実施の形態においては、画像形成装置としてのデジタル複写機１０１を説明する。
【００２５】
デジタル複写機１０１は、図１に示すように、操作部１０２、リーダ部１０３、プリンタ部１０４、モデム部１０５、ネットワークＩ／Ｆ部１０６、ハードディスク１０７、制御部１０８、およびＩＣチップリーダライタ１０９を備える。
【００２６】
操作部１０２は、デジタル複写機１０１を操作するために使用される。リーダ部１０３は、原稿上の画像を読み取り、その読み取りによって得られた画像データを制御部１０８へ出力する。プリンタ部１０４は、制御部１０８からの画像データに基づいて画像を用紙上に印刷する。ここで、上記用紙として、情報の読み書きが可能な非接触ＩＣチップが埋め込まれている非接触ＩＣチップ付用紙、非接触ＩＣチップが埋め込まれていない通常の用紙を用いることができる。
【００２７】
モデム部１０５は、電話回線１１３を介して受信したファクシミリデータを伸長して制御部１０８へ転送し、また、制御部１０８から転送された画像データを圧縮してファクシミリデータとして電話回線１１３を介して送信する。モデム部１０５により受信したファクシミリデータは、ハードディスク１０７に一時的に保存することができる。
【００２８】
ネットワークＩ／Ｆ部１０６は、ＬＡＮ（Local Area Network）１１２と接続するためのインタフェースであり、ＬＡＮ１１２に接続されているパーソナルコンピュータ（以下、ＰＣという）１１０、サーバ１１１などの機器との通信を制御する。ネットワークＩ／Ｆ部１０６は、ＰＣ１１０やサーバ１１１からＬＡＮ１１２を介して転送された画像データを制御部１０８に渡し、また、制御部１０８からの指示により、ＰＣ１１０やサーバ１１１に対して画像データや制御コードを送信する。
【００２９】
ハードディスク１０７は、画像データを格納するための記憶装置である。ここで、ハードディスク１０７に格納された画像データの読み出す順番を変えることによって、印刷出力順番を変えることが可能である。また、同一の画像を複数部出力する場合、ハードディスク１０７から同一の画像データが複数回読み出される。また、ファクシミリ送信やファクシミリ受信のように転送に時間が掛かる場合、ＰＤＬの展開データやリーダ部１０３からの画像データがハードディスク１０７に一時的に記憶される。
【００３０】
制御部１０８は、ＣＰＵ１０８ａ、ＲＡＭ１０８ｂ、ＲＯＭ１０８ｃ、ＳＲＡＭ（Static Random Access Memory）１０８ｄを有し、ＣＰＵ１０８ａは、ＲＯＭ１０８ｃに格納されたプログラムを実行することによって装置全体を統括制御し、また、リーダ部１０３、プリンタ部１０４、モデム部１０５、ネットワークＩ／Ｆ部１０６、ハードディスク１０７のそれぞれの間でのデータの流れを制御する。
【００３１】
ＩＣチップリーダライタ１０９は、プリンタ部１０４内に設けられ、非接触ＩＣチップ付用紙の非接触ＩＣチップに記憶されている情報を非接触で読み取り、制御部１０８へ転送する。また、ＩＣチップリーダライタ１０９は、制御部１０８から転送された情報を非接触ＩＣチップ付用紙の非接触ＩＣチップに非接触で書き込むことができる。
【００３２】
次に、上記リーダ部１０３およびプリンタ部１０４の構成について図２を参照しながら説明する。図２は図１のリーダ部１０３およびプリンタ部１０４の構成を示す縦断面図である。
【００３３】
リーダ部１０３は、図２に示すように、プリンタ部１０４と一体的に構成されており、リーダ部１０３には、原稿給送装置２０１が搭載されている。原稿給送装置２０１は、原稿を最終ページから順に１枚ずつプラテンガラス２０２上へ給送し、この原稿の読み取り動作終了後、プラテンガラス２０２上の原稿を排出するものである。
【００３４】
原稿がプラテンガラス２０２上に給送されると、ランプ２０３が点灯され、スキャナユニット２０４の移動が開始される。このスキャナユニット２０４の移動により、原稿が露光走査される。このとき、原稿からの反射光は、ミラー２０５，２０６，２０７、およびレンズ２０８によってＣＣＤイメージセンサ（以下、ＣＣＤという）２０９へ導かれる。
【００３５】
このように走査された原稿上の画像は、ＣＣＤ２０９によって読み取られ、ＣＣＤ２０９から出力される画像データは、所定の処理が施された後、制御部１０８を介して、プリンタ部１０４またはネットワークＩ／Ｆ部１０６へ転送される。
【００３６】
プリンタ部１０４は、レーザ発光部２１０と、レーザドライバ２２１とを有し、レーザドライバ２２１は、リーダ部１０３から出力された画像データに応じたレーザ光をレーザ発光部２１０に発光させるように駆動する。このレーザ光は、感光ドラム２１１に照射され、感光ドラム２１１にはレーザ光に応じた潜像が形成される。感光ドラム２１１の周囲には、現像器２１２、転写部２１５およびクリーナ２２２が配置されている。現像器２１２は、感光ドラム２１１上に形成された潜像にトナーを供給し、潜像をトナー像として可視像化するものである。転写部２１５は、感光ドラム２１１上のトナー像を給紙された用紙に転写するものである。クリーナ２２２は、感光ドラム２１１上の残留トナーを回収するためのものである。また、画像形成前の用紙を排出するためのエスケープトレイ２２４が設けられている。
【００３７】
上記用紙としては、非接触ＩＣチップ付用紙または通常の用紙が用いられ、これらの用紙は給紙カセット２１３および給紙カセット２１４のいずれか一方から給紙される。本実施の形態においては、各給紙カセット２１３，２１４から非接触ＩＣチップ付用紙が給紙されるものとし、以降、用紙は、特段の断りがない限り、非接触ＩＣチップ付用紙を意味するものとする。
【００３８】
給紙カセット２１３，２１４から給紙された用紙は、先端がレジストローラ２２３に突き当てられて一旦停止された後に、所定のタイミングで、感光ドラム２１１と転写部２１５との間に送り出される。レジストローラ２２３の手前位置には、用紙の非接触ＩＣチップへの情報の書込みおよび読み出しを非接触で行うためのＩＣチップリーダライタ１０９が設けられている。ＩＣチップリーダライタ１０９は、レジストローラ２２３で一旦停止された用紙の非接触ＩＣチップと無線通信可能なように位置決めされており、用紙がレジストローラ２２３で一旦停止されたタイミングでその用紙の非接触ＩＣチップへの情報の書き込みまたは読み出し動作を行う。
【００３９】
感光ドラム２１１と転写部２１５との間に搬送された用紙には、転写部２１５により、感光ドラム２１１上のトナー像が転写され、トナー像が転写された用紙は、定着器２１６に送られる。定着器２１６においては、用紙上のトナー像が熱圧され、これにより、トナー像は用紙上に定着される。
【００４０】
定着器２１６を通過した用紙は、排出ローラ２１７によってフィニッシャ２２０に送られる。フィニッシャ２２０は、用紙の仕分けを行い、また、仕分けされた用紙をステイプルするなどのシート処理を行い、シート処理後の用紙を対応するトレイＡ，Ｂ，Ｃに排紙する。
【００４１】
また、両面印刷が設定されている場合、用紙が排出ローラ２１７まで一旦搬送された後に、排出ローラ２１７が逆転される。そして、フラッパ２１８の切り替え動作により、用紙は、再給紙搬送路２１９へ導かれる。
【００４２】
また、多重印刷が設定されている場合、定着器２１６を通過した用紙は、フラッパ２１８の切り替え動作によって、排出ローラ２１７まで搬送されることなく、再給紙搬送路２１９へ導かれる。
【００４３】
再給紙搬送路２１９へ導かれた用紙は、上述したと同様に、レジストローラ２２３で一旦停止された後に、感光ドラム２１１と転写部２１５の間へ送られる。
【００４４】
次に、操作部１０２について図３を参照しながら説明する。図３は図１の操作部１０２のキー配列を示す平面図である。
【００４５】
操作部１０２には、図３に示すように、装置本体へ電源が投入されている場合に点灯する主電源ランプ３０１と、予熱モードをオン、オフするための予熱キー３０２と、コピーモードを選択するためのコピーモードキー３０３と、ファックスモードを選択するためのファックスモードキー３０４と、ボックスモードを選択するためのボックスキー３０５と、コピー開始を指示するためのコピースタートキー３０６と、コピーを中断または停止させるためのストップキー３０７と、リセットキー３０８と、ガイドキー３０９と、ユーザがシステムの基本設定を変更するためのユーザモードキー３１０と、割り込みキー３１１と、テンキー３１２と、クリアキー３１３と、複数のワンタッチ・ダイヤル・キー３１４と、開閉状態の組み合わせに応じてワンタッチ・ダイヤル・キー３１４のそれぞれに対応する動作を割り当てるための２枚組のフタ３１５と、液晶画面とタッチセンサの組み合わせからなるタッチパネル３１６とが設けられている。タッチパネル３１６には、モード毎に個別の設定画面とともに、各種の詳細な設定を行うためのソフトキーが表示される。
【００４６】
次に、非接触ＩＣチップ付用紙について図４を参照しながら説明する。図４は非接触ＩＣチップ付用紙の構造を示す平面図である。
【００４７】
非接触ＩＣチップ付用紙は、図４に示すように、普通紙などからなる用紙４０１と、用紙４０１に埋め込まれた非接触ＩＣチップ４０２とから構成される。非接触ＩＣチップ４０２は、アンテナ部（図示せず）と、メモリ部（図示せず）とを有し、アンテナ部は、ＩＣチップリーダライタ１０９からの所定周波数の電波を受信すると、誘電起電力を発生する。非接触ＩＣチップ４０２は、上記誘電起電力を用いて、ＩＣチップリーダライタ１０９とのデータ送受信とメモリ部からのデータの読み出しおよび書き込みとを行う。また、非接触ＩＣチップ付用紙として、非接触ＩＣチップ４０２が貼り付けられた用紙４０１を用いることもできる。
【００４８】
次に、デジタル複写機１０１のＩＣチップ書き込みモードが指定されたコピーモードの動作について図５〜図７を参照しながら説明する。図５は図１のデジタル複写機１０１のＩＣチップ書き込みモードが指定されたコピーモードの制御手順を示すフローチャート、図６は図１の操作部１０２のタッチパネル３１６に表示されるＩＣ書き込み優先モード選択画面の一例を示す図、図７は図６のＩＣ書き込み優先モード選択画面上でＩＣ書き込み優先モードが選択された際に表示されるＩＣチップ不良用紙排紙先トレイ選択画面の一例を示す図である。図５のフローチャートに示す手順は、制御部１０８（ＣＰＵ１０８ａ）により実行されるものである。
【００４９】
本実施の形態のデジタル複写機１０１は、コピーモードにおいて、ＩＣチップ書き込みモードを指定することが可能である。このＩＣチップ書き込みモードが指定されると、ＩＣチップリーダライタ１０９により給紙される用紙の非接触ＩＣチップへの情報の書き込みが行われ、その後に、ユーザによる設定に応じて、ＩＣ書き込み優先モードまたはスピード優先モードのいずれかが実行される。
【００５０】
ここで、ＩＣ書き込み優先モードが設定されている場合、非接触ＩＣチップへの情報の書き込みが成功したか否かに応じて、画像形成動作が制御される。具体的には、非接触ＩＣチップへの情報の書き込みが成功した場合、給紙された用紙に対して画像形成が行われ、画像形成された用紙は指定された排紙トレイへ排紙される。これに対し、非接触ＩＣチップへの情報の書き込みが成功しなかった場合、給紙された用紙は、画像形成が行われることなく、非接触ＩＣチップへの情報の書き込みが成功した用紙の排紙先トレイとは異なる排紙先トレイへ排紙される。
【００５１】
スピード優先モードが設定されている場合、非接触ＩＣチップへの情報の書き込みが成功したか否かに関係なく、給紙された用紙に対して画像形成が行われ、この画像形成された用紙は指定された排紙トレイへ排紙される。
【００５２】
ＩＣチップ書き込みモードが指定された場合、用紙として、非接触ＩＣチップ付用紙が使用されるが、例えば用紙に埋め込まれている（または貼り付けられている）非接触ＩＣチップが不良品である場合、または用紙のレジストローラ２２３までの搬送途中で非接触ＩＣチップが破損した場合などにおいては、非接触ＩＣチップへの情報の書き込みが成功しないので、給紙された用紙は、画像形成が行われることなく排紙される。また、通常の用紙（非接触ＩＣチップが埋め込まれていない用紙）が誤って給紙された場合、この通常の用紙に対しては、非接触ＩＣチップへの情報の書き込みが成功しないので、給紙された通常の用紙は、画像形成が行われることなく排紙される。
【００５３】
ＩＣチップ書き込みモードが指定されない場合、通常のコピーモードが実行されることになる。この通常のコピーモードとは、給紙される用紙が非接触ＩＣチップ付用紙であるか通常の用紙（非接触ＩＣチップがない用紙）であるかに関係なく、給紙された用紙に対して画像形成を行うモードであり、用紙に対して非接触ＩＣチップへの情報の書き込み動作は行われない。この通常のコピーモードの動作は、周知であり、ここではその説明は省略する。
【００５４】
ユーザにより操作部１０２を介してＩＣチップ書き込みモードが指定された場合、タッチパネル３１６には、例えば図６に示すようなＩＣチップ書き込みモード指定画面が表示される。このＩＣチップ書き込みモード指定画面には、ＩＣ書き込み優先モードとスピード優先モードを排他的に選択するためのボタン６０１，６０２が表示される。ここで、ボタン６０１が押下されると、ＩＣ書き込み優先モードが選択されて設定され、ボタン６０２が押下されると、スピード優先モードが選択されて設定される。この設定されたモードは、制御部１０８のＳＲＡＭ１０８ｄに記憶される。
【００５５】
上記ＩＣチップ書き込みモード指定画面においてＩＣ書き込み優先モードが選択されると、例えば図７に示すようなＩＣチップ不良用紙排紙先トレイ選択画面がタッチパネル３１６に表示される。このＩＣチップ不良用紙排紙先トレイ選択画面は、非接触ＩＣチップへの情報の書き込みが成功しなかった用紙の排紙先となるトレイ（ＩＣチップ不良用紙排紙先トレイ）を選択するための画面であり、この画面には、ＩＣチップ不良用紙排紙先トレイを指定するための複数のボタン７０１，７０２，７０３が表示される。例えば、ボタン７０３が押下されると、ＩＣチップ不良用紙排紙先トレイとして、トレイＣが選択されて設定される。選択されたＩＣチップ不良用紙排紙先トレイは、ＳＲＡＭ（Static Random Access Memory）１０８ｄに記憶される。
【００５６】
ユーザは、ＩＣチップ書き込みモードを指定し、コピーモードにおける各種の設定を行った後、原稿を原稿給送装置２０１にセットし、コピースタートキー３０６を押下する。これにより、コピーモードが開始される。
【００５７】
このコピーモードにおいては、図５に示すように、まず、制御部１０８が、原稿の読み取りを開始するように制御する（ステップＳ５０１）。この原稿の読み取りが開始されると、原稿給送装置２０１からセットされた原稿が１枚ずつプラテンガラス２０２上に給送され、リーダ部１０３で原稿上の画像が読み取られ、原稿が読み取れる毎にその画像データが、順にハードディスク１０７に保存される。
【００５８】
そして、制御部１０８は、次に出力すべき１ページ分の画像データがハードディスク１０７に保存されるのを待つ（ステップＳ５０２）。最初は、１ページ目の画像データの保存が待たれることになる。ここで、ハードディスク１０７に次に出力すべき１ページ分の画像データが保存されると、この画像データはハードディスク１０７から制御部１０８を介してプリンタ部１０４に出力される。プリンタ部１０４においては、感光ドラム２１１上に上記画像データに基づいた潜像が形成され、この潜像は現像によりトナー像として可視像化される。
【００５９】
また、制御部１０８は、次に出力すべき１ページ分の画像データがハードディスク１０７に保存されると、給紙カセット２１３，２１４のいずれか一方から用紙を給紙し、その用紙の搬送を開始するように制御する（ステップＳ５０３）。給紙カセット２１３，２１４のいずれか一方から給紙された用紙は、レジストローラ２２３に向けて搬送され、その先端がレジストローラ２２３に突き当てられた状態で一旦停止される。そして、制御部１０８は、ＩＣチップリーダライタ１０９により、レジストローラ２２３により停止された用紙の非接触ＩＣチップに対してユーザにより設定された内容（例えば、倍率、レイアウト、原稿サイズ、用紙サイズ、用紙タイプ、色数など）に関する情報を書き込むように制御する（ステップＳ５０４）。
【００６０】
次いで、制御部１０８は、ＳＲＡＭ１０８ｄ内の情報を参照して、図６に示すＩＣチップ書き込みモード指定画面を用いて設定されたモードがＩＣチップ書き込み優先モードであるかスピード優先モードであるかを判別する（ステップＳ５０５）。ここで、ＩＣチップ書き込み優先モードが設定されている場合、制御部１０８は、ＩＣチップリーダライタ１０９を用いて、用紙の非接触ＩＣチップから情報を読み出し、読み出された情報が上記ステップＳ５０４で非接触ＩＣチップに対して書き込みを指示した情報に一致するか否かに応じて非接触ＩＣチップへの情報の書き込みが成功したか否かを判定する（ステップＳ５０６）。ここで、読み出された情報が上記ステップＳ５０４で非接触ＩＣチップに対して書き込みを指示した情報に一致した場合、非接触ＩＣチップへの情報の書き込みが成功したと判定され、両者の情報が一致しない場合、非接触ＩＣチップへの情報の書き込みが失敗したと判定される。
【００６１】
非接触ＩＣチップへの情報の書き込みが成功したと判定された場合、制御部１０８は、画像形成を行うように制御する（ステップＳ５０７）。この画像形成の制御においては、レジストローラ２２３により用紙を感光ドラム２１１と転写部２１５との間に送り込む動作と、転写部２１５により感光ドラム２１１上のトナー像を上記用紙へ転写する動作と、定着器２１６により用紙に転写されたトナー像を用紙上へ定着する動作とのそれぞれに対する制御が行われる。ここで、画像データに基づいた感光ドラム２１１への潜像の形成、その潜像の現像などのプロセスは、上記ステップＳ５０７の開始タイミングに間に合うように、上記ステップＳ５０２での出力すべき画像データのハードディスク１０７への保存が終了した時点以降の所定のタイミングで既に開始されている。そして、制御部１０８は、上記用紙を指定されたトレイ（例えば図２に示すフィニッシャ２２０の最上段のトレイＡ）へ排紙する（ステップＳ５０８）。
【００６２】
次いで、制御部１０８は、原稿給送装置２０１から給紙された全ての原稿のコピーが終了したか否かを判定し（ステップＳ５１１）、全ての原稿のコピーが終了していなければ、上記ステップＳ５０２に戻り、全ての原稿のコピーが終了していれば、本処理を終了する。
【００６３】
上記ステップＳ５０６において非接触ＩＣチップへの情報の書き込みが失敗したと判定された場合、制御部１０８は、画像形成を中止する（ステップＳ５０９）。ここでは、感光ドラム２１１上に形成されたトナー像すなわちトナーがクリーナ２２２で回収された後に、レジストローラ２２３により用紙が感光ドラム２１１と転写部２１５との間に送られる。これにより、用紙は、トナー像が転写されることなく、定着器２１６を経てフィニッシャ２２０に搬送される。そして、制御部１０８は、図７に示すＩＣチップ不良用紙排紙先トレイ選択画面を用いてＩＣチップ不良用紙排紙先トレイとして指定されたトレイ（例えば図２に示すフィニッシャ２２０の最上段のトレイＣ）へ用紙を排紙するようにフィニッシャ２２０を制御する（ステップＳ５１０）。ここで、非接触ＩＣチップへの情報の書き込みが失敗した用紙には、通常の用紙が含まれる場合がある。
【００６４】
次いで、制御部１０８は、上記ステップＳ５０３に戻る。そして、新たな用紙が給紙され、この用紙の非接触ＩＣチップへの情報の書き込みが成功するまで、ステップＳ５０３，ステップＳ５０６，ステップＳ５０９，ステップＳ５１０が繰り返される。すなわち、用紙の非接触ＩＣチップへの情報の書き込みが成功するまで、感光ドラム２１１上への同一トナー像の形成、そのトナーの回収が繰り返し行われることになる。
【００６５】
このように、本実施の形態によれば、非接触ＩＣチップへの情報の書き込みが成功した用紙と非接触ＩＣチップへの情報の書き込みが失敗した用紙とがそれぞれ対応するトレイへ出力されるので、ユーザは、接触ＩＣチップへの情報の書き込みが成功した用紙と非接触ＩＣチップへの情報の書き込みが失敗した用紙との選別を行うことなく、非接触ＩＣチップへの情報の書き込みが成功した用紙のみを簡単に取得することができ、ユーザの利便性が向上される。
【００６６】
なお、本実施の形態においては、用紙への無駄な画像形成を回避するために、非接触ＩＣチップ４０２への情報の書き込みと書き込まれた情報の確認とを用紙への画像形成前に行う構成が採用されているが、非接触ＩＣチップへの情報の書き込みと書き込まれた情報の確認とを用紙への画像形成後に行う構成、非接触ＩＣチップへの情報の書き込みを用紙への画像形成前に行い、その書き込まれた情報の確認を用紙への画像形成後に行う構成を採用してもよい。その場合は、画像形成装置の転写部２１５から排紙ローラ２１７へ至る用紙搬送路上のいずれかの個所（ＩＣチップリーダライタ１０９よりも用紙搬送路の下流側）にＩＣチップリーダライタを更に設け、ＩＣチップリーダライタ１０９で情報の書き込みを行い、更に追加したＩＣチップリーダライタで情報の読み出しを行うことにより、実現することができる。
【００６７】
また、本実施の形態においては、ＩＣチップ不良用紙排紙先トレイ選択画面を用いてＩＣチップ不良用紙排紙先トレイを選択するようにしているが、これに代えて、制御部１０８が空きトレイをＩＣチップ不良用紙排紙先トレイとして自動的に選択するようにしてもよい。この場合は、非接触ＩＣチップへの情報の書き込みが失敗した用紙が他のジョブなどで出力された用紙と混ざらないようにすることができる。
【００６８】
さらに、ＩＣチップ不良用紙排紙先トレイとして、エスケープトレイ２２４を選択することもでき、エスケープトレイ２２４を選択したときは非接触ＩＣチップへの情報の書き込みが失敗した用紙をレジストローラと転写部の間の不図示のフラッパを切り替えることにより用紙をエスケープトレイへ搬送する。これにより転写部、定着部を通さずに排紙することができる。
【００６９】
（第２の実施の形態）
次に、本発明の第２の実施の形態について図８および図９を参照しながら説明する。図８および図９は本発明の第２の実施の形態に係る画像形成装置におけるＩＣチップ書き込みモードが指定された両面コピーモードの制御手順を示すフローチャートである。
【００７０】
上記第１の実施の形態においては、片面コピー時に用紙の非接触ＩＣチップへの情報の書き込みを行う場合の制御について説明したが、本実施の形態においては、両面コピー時に用紙の非接触ＩＣチップへの書き込みを行う場合の制御について説明する。本実施の形態の構成は、上述した第１の実施の形態と同じ構成を有し、その説明は省略する。
【００７１】
本実施の形態の両面コピーモードにおいては、上記第１の実施の形態とは異なり、ＩＣ書き込み優先モード、スピード優先モードのいずれか一方を選択することができず、ＩＣ書き込み優先モードが自動的に設定されるものとする。
【００７２】
本実施の形態における両面コピーモードにおいては、図８に示すように、まず、制御部１０８が、原稿の読み取りを開始するように制御し（ステップＳ８０１）、次に出力すべき１ページ分の画像データがハードディスク１０７に保存されるのを待つ（ステップＳ８０２）。ここで、次に出力すべき１ページ分の画像データがハードディスク１０７に保存されると、制御部１０８は、上記画像データが用紙の２面目に対応する画像データであるか否かを判定する（ステップＳ８０３）。上記画像データが用紙の２面目に対応する画像データでないときには、制御部１０８は、給紙カセット２１３，２１４のいずれか一方から用紙を給紙し、その用紙の搬送を開始するように制御する（ステップＳ８０４）。この給紙された用紙は、レジストローラ２２３により一旦停止される。そして、制御部１０８は、ＩＣチップリーダライタ１０９により、レジストローラ２２３により停止された用紙の非接触ＩＣチップに対して、指示した情報を書き込むように制御する（ステップＳ８０５）。
【００７３】
次いで、制御部１０８は、ＩＣチップリーダライタ１０９を用いて、用紙の非接触ＩＣチップから情報を読み出し、読み出された情報が上記ステップＳ８０５で書き込みを指示した情報に一致するか否かに応じて非接触ＩＣチップへの情報の書き込みが成功したか否かを判定する（ステップＳ８０６）。非接触ＩＣチップへの情報の書き込みが失敗したと判定された場合、制御部１０８は、用紙の１面目への画像形成であるか否かを判定する（ステップＳ８０７）。ここでは、用紙の１面目への画像形成であるので、制御部１０８は、画像形成を行うように制御する（ステップＳ８０８）。これに対し、非接触ＩＣチップへの情報の書き込みが成功したと判定された場合も、同様に、制御部１０８は、画像形成を行うように制御する（ステップＳ８０８）。すなわち、用紙の１面目への画像形成時には、非接触ＩＣチップへの情報の書き込みの成功、失敗に関係なく、画像形成が行われる。
【００７４】
上記画像形成においては、レジストローラ２２３により用紙を感光ドラム２１１と転写部２１５との間に送り込む動作と、転写部２１５により感光ドラム２１１上のトナー像を上記用紙へ転写する動作と、定着器２１４により用紙に転写されたトナー像を用紙上へ定着する動作とが行われる。
【００７５】
次いで、制御部１０８は、上記画像形成が用紙の１面目への画像形成であるか否かを判定する（ステップＳ８０９）。ここで、上記画像形成が用紙の１面目への画像形成である場合、制御部１０８は、用紙を再給紙搬送路２１９に導き、用紙の画像形成面を反転させるように制御する（ステップＳ８１０）。そして、制御部１０８は、上記ステップＳ８０２に戻り、用紙の２面目への画像形成のために、用紙の１面目への画像形成と同様の手順を実行する。ここで、制御部１０８は、次に出力すべき画像データが用紙の２面目に形成される画像データであると判定するので（ステップＳ８０３）、再給紙搬送路２１９上の用紙の搬送を開始する（ステップＳ８１１）。すなわち、再給紙搬送路２１９から用紙がレジストローラ２２３まで搬送され、用紙は、レジストローラ２２３により一旦停止される。
【００７６】
次いで、制御部１０８は、用紙の１面目への画像形成時に非接触ＩＣチップへの情報の書き込みが成功したか否かを判定する（ステップＳ８１２）。ここで、用紙の１面目への画像形成時に非接触ＩＣチップへの情報の書き込みが成功している場合、制御部１０８は、レジストローラ２２３から用紙を給紙し、用紙の２面目への画像形成（トナー像の転写）を行うように制御する（ステップＳ８０８）。そして、制御部１０８は、上記画像形成が用紙の１面目への画像形成でないすなわち用紙の２面目への画像形成であると判定し（ステップＳ８０９）、両面に画像形成された用紙を指定されたトレイ（例えば図２に示すフィニッシャ２２０の最上段のトレイＡ）へ排紙するように制御する（ステップＳ８１３）。
【００７７】
次いで、制御部１０８は、原稿給送装置２０１から給紙された全ての原稿の両面コピーが終了したか否かを判定し（ステップＳ８１４）、全ての原稿の両面コピーが終了していなければ、上記ステップＳ８０２に戻り、全ての原稿の両面コピーが終了していれば、本処理を終了する。
【００７８】
上記ステップＳ８１２で用紙の１面目への画像形成時に非接触ＩＣチップへの情報の書き込みが成功していないと判定された場合、制御部１０８は、ＩＣチップリーダライタ１０９を用いて、再給紙搬送路２１９から搬送された用紙に対して非接触ＩＣチップへの情報の書き込みを行うように制御する（ステップＳ８０５）。そして、再給紙搬送路２１９から搬送された用紙に対する非接触ＩＣチップへの情報の書き込みが成功した場合（ステップＳ８０７）、制御部１０８は、上記用紙の２面目への画像形成を行うように制御し（ステップＳ８０８）、両面に画像形成された用紙を指定されたトレイ（例えばフィニッシャ２２０の最上段のトレイＡ）へ排紙するように制御する（ステップＳ８１３）。
【００７９】
上記ステップＳ８０７において再給紙搬送路２１９から搬送された用紙に対する非接触ＩＣチップへの情報の書き込みが失敗したと判定された場合、制御部１０８は、図９に示すように、用紙の２面目への画像形成を中止するように制御する（ステップＳ８１５）。ここでは、感光ドラム２１１上に形成されたトナー像すなわちトナーがクリーナ２２２で回収された後に、レジストローラ２２３により用紙が感光ドラム２１１と転写部２１５との間に送られる。これにより、用紙は、トナー像が転写されることなく、定着器２１６を経てフィニッシャ２２０に搬送される。そして、制御部１０８は、図７に示すＩＣチップ不良用紙排紙先トレイ選択画面を用いてＩＣチップ不良用紙排紙先トレイとして指定されたトレイ（例えばフィニッシャ２２０の最下段のトレイＣ）へ用紙を排紙するようにフィニッシャ２２０を制御する（ステップＳ８１６）。ここで、非接触ＩＣチップへの情報の書き込みが失敗した用紙には、通常の用紙が含まれる場合がある。
【００８０】
次いで、制御部１０８は、上記ステップＳ８０４に戻り、新たな用紙を給紙し、この用紙に対して再度１面目からの画像形成を開始するように制御する。これは、用紙の非接触ＩＣチップへの情報の書き込みが成功するまで、繰り返される。
【００８１】
このように、本実施の形態によれば、両面コピーにおいて、１面目のコピー時に非接触ＩＣチップへの情報の書き込みが失敗した用紙（非接触ＩＣチップを検出することができなかった用紙を含む）に対して、その２面目のコピー時に、非接触ＩＣチップへの書き込みが行われるので、非接触ＩＣチップへの書き込みが失敗した用紙の発生を低減することができるとともに、両面コピーのスループットの向上を図ることができる。
【００８２】
（第３の実施の形態）
次に、本発明の第３の実施の形態について図１０および図１１を参照しながら説明する。図１０および図１１は本発明の第３の実施の形態に係る画像形成装置におけるＩＣチップ読み込みモードが指定されたコピーモードの制御手順を示すフローチャートである。
【００８３】
上記第１および第２の実施の形態においては、用紙に対して非接触ＩＣチップへの情報の書き込みを行い、この情報の書き込みの結果に基づいて、正常な非接触ＩＣチップが埋め込まれている非接触ＩＣチップ付用紙に対して画像形成を行う場合について説明したが、本実施の形態においては、用紙に付加された非接触ＩＣチップには予め情報が書き込まれた状態で給紙カセット２１３または２１４に装填され、給紙された用紙に対して非接触ＩＣチップからの情報の読み出しを行い、この情報の読み出しの結果に基づいて、正常な非接触ＩＣチップが埋め込まれている非接触ＩＣチップ付用紙に対して画像形成を行う場合について説明する。ここで、本実施の形態は、上記第１の実施の形態と同じ構成を有し、その構成の説明について省略する。
【００８４】
本実施の形態においてコピーを行う場合、ユーザは、ＩＣチップ読み取りモードを指定し、コピーモードにおける各種の設定を行った後、原稿を原稿給送装置２０１にセットし、コピースタートキー３０６を押下する。これにより、コピーモードが開始される。
【００８５】
このコピーモードにおいては、図１０に示すように、まず、制御部１０８が、原稿の読み取りを開始するように制御し（ステップＳ９０１）、次に出力すべき１ページ分の画像データがハードディスク１０７に保存されるのを待つ（ステップＳ９０２）。ここで、次に出力すべき１ページ分の画像データがハードディスク１０７に保存されると、制御部１０８は、用紙が反転済みか否かを判定する（ステップＳ９０３）。ここで、用紙が反転済みでない場合、制御部１０８は、給紙カセット２１３，２１４のいずれか一方からの用紙の搬送を開始するように制御する（ステップＳ９０４）。給紙カセット２１３，２１４のいずれか一方から給紙された用紙は、レジストローラ２２３まで搬送され、先端がレジストローラ２２３に突き当てられて一旦停止される。そして、制御部１０８は、ＩＣチップリーダライタ１０９により、レジストローラ２２３で停止された用紙に対して非接触ＩＣチップの情報の読み出しを行うように制御する（ステップＳ９０５）。
【００８６】
次いで、制御部１０８は、上記ステップＳ９０５での非接触ＩＣチップの情報の読み出しが成功したか否かを判定する（ステップＳ９０６）。ここで、非接触ＩＣチップの情報の読み出しが成功した場合、制御部１０８は、給紙された用紙が正常な非接触ＩＣチップ付用紙であると判断し、画像形成を行うように制御する（ステップＳ９０７）。この画像形成の制御においては、レジストローラ２２３により用紙を感光ドラム２１１と転写部２１５との間に送り込む動作と、転写部２１５により感光ドラム２１１上のトナー像を上記用紙へ転写する動作と、定着器２１４により用紙に転写されたトナー像を用紙上へ定着する動作と、定着後の用紙をフィニッシャ２２０へ送る動作とのそれぞれが制御される。そして、制御部１０８は、用紙を所定のトレイ(例えばフィニッシャ２２０の最上段のトレイＡ）へ排紙するようにフィニッシャ２２０を制御する（ステップＳ９０８）。
【００８７】
次いで、制御部１０８は、原稿給送装置２０１から給紙された全ての原稿のコピーが終了したか否かを判定し（ステップＳ９０９）、全ての原稿のコピーが終了していなければ、上記ステップＳ９０２に戻り、全ての原稿のコピーが終了していれば、本処理を終了する。
【００８８】
上記ステップＳ９０６において非接触ＩＣチップの情報の読み出しが成功しなかったすなわち失敗した場合、制御部１０８は、用紙への画像形成を中止する（ステップＳ９１１）。ここでは、感光ドラム２１１上に形成されたトナー像すなわちトナーがクリーナ２２２で回収された後に、レジストローラ２２３により用紙が感光ドラム２１１と転写部２１５との間に送られる。これにより、用紙は、トナー像が転写されることなく、定着器２１６を通過する。そして、制御部１０８は、用紙が反転済みであるか否かを判定する（ステップＳ９１４）。ここで、用紙が反転済みでないときには、制御部１０８は、定着器２１６を通過した用紙を再給紙搬送路２１９へ導き、用紙の反転を行うように制御する（ステップＳ９１５）。
【００８９】
次いで、制御部１０８は、上記ステップＳ９０３に戻り、用紙が反転済みであるか否かを判定する。ここでは、用紙は反転済みであるので、制御部１０８は、再給紙搬送路２１９へ導かれた用紙の搬送を開始するように制御する（ステップＳ９１０）。これにより、再給紙搬送路２１９へ導かれた用紙は、レジストローラ２２３に向けて搬送され、レジストローラ２２３により、その位置で一旦停止される。そして、制御部１０８は、再度、用紙に対して非接触ＩＣチップの情報の読み出しを行うように制御し（ステップＳ９０５）、その情報の読み出しが成功したか否かを判定する（ステップＳ９０６）。この情報の読み出しが成功した場合、上述したように、用紙への画像形成が行われ（ステップＳ９０７）、所定のトレイへ排紙される（ステップＳ９０８）。
【００９０】
これに対し、上記情報の読み出しが失敗した場合、用紙への画像形成が中止される（ステップＳ９１１）。すなわち、感光ドラム２１１上に形成されたトナー像すなわちトナーがクリーナ２２２で回収された後に、レジストローラ２２３により用紙が感光ドラム２１１と転写部２１５との間に送られる。そして、用紙は、トナー像が転写されることなく、定着器２１６を通過する。ここで、用紙は既に反転済みであるので（ステップＳ９１２）、制御部１０８は、用紙をフィニッシャ２２０へ送り、例えば図７に示すようなＩＣチップ不良用紙排紙先トレイ選択画面を用いてＩＣチップ不良用紙排紙先トレイとして指定されたトレイへ用紙を排紙するようにフィニッシャ２２０を制御する（ステップＳ９１４）。ここで、非接触ＩＣチップへの情報の書き込みが失敗した用紙には、通常の用紙が含まれる場合がある。
【００９１】
次いで、制御部１０８は、上記ステップＳ９０３に戻り、新たな用紙を給紙し、この用紙に対して再度同一の画像を形成するように制御する。これは、用紙の非接触ＩＣチップの情報の読み出しが成功するまで、繰り返される。
【００９２】
このように、本実施の形態によれば、用紙の一方の面に対して非接触ＩＣチップの情報の読み出しが失敗した場合、用紙が反転され、再度用紙の他方の面に対して非接触ＩＣチップの情報の読み出しが行われるので、非接触ＩＣチップの情報の読み出しが失敗した用紙の発生を低減することができる。特に、指向性のある非接触ＩＣチップを両面に付加した用紙に対して有効である。
【００９３】
また、本実施の形態においては、本発明の原理を片面コピーに適用した場合について説明したが、本発明の原理を両面コピーに適用することも可能である。本発明の原理を両面コピーに適用する場合、非接触ＩＣチップの情報の読み出しが成功するまで、用紙のいずれの面にも画像形成が行われない。
【００９４】
また、本実施の形態では、非接触ＩＣチップの情報の読み出しについて説明したが、非接触ＩＣチップへの情報の書き込み時において、その情報の書込みが失敗した場合、用紙を反転させて再度非接触ＩＣチップへの情報の書き込みを行うようにしてもよい。この場合、片面コピーにおいて画像形成後の書き込みで失敗した場合は、反転後は画像形成をせずに非接触色ＩＣチップへの書き込みを行う。さらに、裏面で書き込みが成功した場合にその用紙をそのまま排紙すると、この用紙は、他の画像形成済み用紙とは表裏が逆の状態で排紙されることになるので、裏面に画像形成された用紙は、排紙時に反転されて排紙される。
【００９５】
上記第１、第２、第３の各実施の形態においては、非接触ＩＣチップへの情報の書き込みまたは読み出しが成功したか否かに応じて画像形成を行うか否かが制御されるが、これに代えて、非接触ＩＣチップへの情報の書き込みまたは読み出しが成功したか否かに応じて画像形成された用紙の排紙先を変更する構成を採用することもできる。すなわち、この構成の場合は、非接触ＩＣチップへの情報の書き込みまたは読み出しが成功したか否かに関係なく、給紙された用紙に対して画像形成が行われ、画像形成された用紙のうち、非接触ＩＣチップへの情報の書き込みまたは読み出しが成功した用紙と、非接触ＩＣチップへの情報の書き込みまたは読み出しが失敗した用紙とが、それぞれ異なるトレイへ排紙されるように排紙先トレイの切り替えが行われる。
【００９６】
また、上記第１、第２、第３の各実施の形態においては、本発明の原理をコピーモードについて適用した場合について説明したが、本発明の原理を、ファクシミリ受信した画像、ネットワークＩ／Ｆ部１０６を介して受信した画像をプリンタ部１０４により出力する場合にも適用可能である。
【００９７】
また、上記第１、第２、第３の各実施の形態においては、リーダ部１０３とプリンタ部１０４を制御部１０８により制御するようにしているが、制御部１０８に代えて、リーダ部１０３とプリンタ部１０４を、ＬＡＮ１１２を介してＰＣ１１０からそれぞれ制御するようにしてもよい。
【００９８】
さらに、上記第１、第２、第３の各実施形態においては、操作部１０２のタッチパネル３１６から操作を指示するようにしているが、ＰＣ１１０からのアクセスによって操作を指示する構成としてもよい。
【００９９】
さらに、上記各実施の形態において、プリンタ部（プリンタエンジン）としてレーザビーム方式のものを例にして説明したが、これに代えて、レーザビーム方式以外の電子写真方式（例えばＬＥＤ方式）、液晶シャッタ方式、インクジェット方式、熱転写方式、昇華方式など、その他の方式を用いたものを用いることもできる。
【０１００】
さらに、本発明の原理は、ファクシミリ装置やプリンタ装置などにも同様に適用可能である。
【０１０１】
なお、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることはいうまでもない。この場合、記憶媒体から読み出されたプログラムコード自体が前述した実施形態の機能を実現することになり、そのプログラムコードを記憶した記憶媒体は本発明を構成することになる。
【０１０２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードを、ネットワークを介してダウンロードしてもよい。
【０１０３】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【０１０４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【図面の簡単な説明】
【０１０５】
【図１】本発明の第１の実施の形態に係る画像形成装置の構成を示すブロック図である。
【図２】図１のリーダ部１０３およびプリンタ部１０４の構成を示す縦断面図である。
【図３】図１の操作部１０２のキー配列を示す平面図である。
【図４】非接触ＩＣチップ付用紙の構造を示す平面図である。
【図５】図１のデジタル複写機１０１のＩＣチップ書き込みモードが指定されたコピーモードの制御手順を示すフローチャートである。
【図６】図１の操作部１０２のタッチパネル３１６に表示されるＩＣ書き込み優先モード選択画面の一例を示す図である。
【図７】図６のＩＣ書き込み優先モード選択画面上でＩＣ書き込み優先モードが選択された際に表示されるＩＣチップ不良用紙排紙先トレイ選択画面の一例を示す図である。
【図８】本発明の第２の実施の形態に係る画像形成装置におけるＩＣチップ書き込みモードが指定された両面コピーモードの制御手順を示すフローチャートである。
【図９】本発明の第２の実施の形態に係る画像形成装置におけるＩＣチップ書き込みモードが指定された両面コピーモードの制御手順を示すフローチャートである。
【図１０】本発明の第３の実施の形態に係る画像形成装置におけるＩＣチップ読み込みモードが指定されたコピーモードの制御手順を示すフローチャートである。
【図１１】本発明の第３の実施の形態に係る画像形成装置におけるＩＣチップ読み込みモードが指定されたコピーモードの制御手順を示すフローチャートである。
【符号の説明】
【０１０６】
１０１  デジタル複写機
１０２  操作部
１０３  リーダ部
１０４  プリンタ部
１０５  モデム部
１０６  ネットワークＩ／Ｆ部
１０７  ハードディスク
１０８  制御部
１０９  ＩＣチップリーダライタ
１１０  ＰＣ
１１１  サーバ
１１２  ＬＡＮ
【図１】
2006110802.tif 000003
【図２】
2006110802.tif 000004
【図３】
2006110802.tif 000005
【図４】
2006110802.tif 000006
【図５】
2006110802.tif 000007
【図６】
2006110802.tif 000008
【図７】
2006110802.tif 000009
【図８】
2006110802.tif 000010
【図９】
2006110802.tif 000011
【図１０】
2006110802.tif 000012
【図１１】
2006110802.tif 000013
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
記録媒体上に画像を形成する画像形成手段と、
前記記録媒体に付加された非接触ＩＣチップに対して少なくとも情報の書き込み動作を非接触で行うことが可能な書き込み手段と、
前記書き込み手段により前記記録媒体に付加された非接触ＩＣチップに対して行われた情報の書き込み動作の結果に応じて前記画像形成手段が前記記録媒体上への画像形成を行うか否かを制御する制御手段と、
を有することを特徴とする画像形成装置。
【請求項２】
前記制御手段は、前記書き込み手段が前記記録媒体に付加された非接触ＩＣチップに対して行った情報の書き込み動作が正しく行われたか否かに基づいて、該記録媒体が正常な非接触ＩＣチップ付き記録媒体であるか否かを判別し、該判別結果に基づいて前記記録媒体上への画像形成を行うか否かを制御することを特徴とする請求項１に記載の画像形成装置。
【請求項３】
前記制御手段は、前記記録媒体が正常な非接触ＩＣチップ付き記録媒体であると判別した場合、該記録媒体上への画像形成を行い、該画像形成が行われた記録媒体を所定の排紙先へ排紙し、前記記録媒体が正常な非接触ＩＣチップ付き記録媒体でないと判別した場合、該記録媒体上への画像形成を中止し、該画像形成が中止された記録媒体を前記所定の排紙先とは異なる排紙先へ排紙するように制御することを特徴とする請求項２に記載の画像形成装置。
【請求項４】
更に、前記判別結果に基づいて前記記録媒体への画像形成を制御する第１モードと、前記判別を行うことなく、前記記録媒体への画像形成を連続して行う第２モードのいずれか一方を、ユーザの操作により選択する選択手段を有し、
前記制御手段は、前記選択手段により選択されたモードを実行するように制御することを特徴とする請求項２に記載の画像形成装置。
【請求項５】
更に、前記記録媒体の表裏を反転して、再給紙する反転再給紙手段を有し、
前記制御手段は、前記記録媒体が正常な非接触ＩＣチップ付き記録媒体でないと判別した場合、前記画像形成手段に前記記録媒体への画像形成を実行させ、前記反転再給紙手段に前記記録媒体を再給紙させ、前記書き込み手段に、前記再給紙された記録媒体に対して情報の書き込み動作を行わせ、前記情報の書き込み動作の結果に基づいて、該再給紙された記録媒体が正常な非接触ＩＣチップ付き記録媒体であるか否かを再度判別し、該判別結果に基づいて該再給紙された記録媒体上への画像形成を行うか否かを制御することを特徴とする請求項２に記載の画像形成装置。
【請求項６】
前記制御手段は、前記再給紙された記録媒体が正常な非接触ＩＣチップ付き記録媒体であると判別した場合、該再給紙された記録媒体上への画像形成を行い、該画像形成が行われた記録媒体を所定の排紙先へ排紙し、前記再給紙された記録媒体が正常な非接触ＩＣチップ付き記録媒体でないと判別した場合、該再給紙された記録媒体上への画像形成を中止し、該画像形成が中止された記録媒体を前記所定の排紙先とは異なる排紙先へ排紙するように制御することを特徴とする請求項５に記載の画像形成装置。
【請求項７】
前記書き込み手段は、更に前記記録媒体に付加された非接触ＩＣチップから情報の読み出し動作を行うことが可能であり、前記記録媒体に付加された非接触ＩＣチップに対する書き込み動作後に該非接触ＩＣチップから情報の読み出し動作を行い、
前記制御手段は、前記書き込み手段が前記非接触ＩＣチップに書き込んだ情報と前記書き込み手段が前記非接触ＩＣチップから読み出した情報との比較結果に基づいて、前記記録媒体が正常な非接触ＩＣチップ付き記録媒体であるか否かを判別することを特徴とする請求項１に記載の画像形成装置。
【請求項８】
更に、前記画像形成手段が画像形成する前の記録媒体を排紙するエスケープ排紙手段を有し、
前記制御手段は、前記記録媒体が正常な非接触ＩＣチップ付き記録媒体でないと判別した場合、該記録媒体上への画像形成を中止し、該画像形成が中止された記録媒体を前記エスケープ排紙手段へ排紙するように制御することを特徴とする請求項２に記載の画像形成装置。
【請求項９】
記録媒体上に画像を形成する画像形成手段と、
前記記録媒体に付加された非接触ＩＣチップに対して情報の書き込み動作を非接触で行う書き込み手段と、
前記書き込み手段が前記記録媒体に付加された非接触ＩＣチップに対して正しく情報を書き込んだか否かに基づいて前記画像形成手段による画像形成動作を変更するよう制御する制御手段と、
を有することを特徴とする画像形成装置。
【請求項１０】
記録媒体上に画像を形成する画像形成手段と、
前記記録媒体に付加された非接触ＩＣチップに対して情報の読み出し動作を非接触で行う読み出し手段と、
前記読み出し手段が記録媒体に付加された非接触ＩＣチップから正しく情報を読み出したか否かに基づいて、前記画像形成手段による画像形成動作を変更するよう制御する制御手段と、
を有することを特徴とする画像形成装置。
【請求項１１】
前記制御手段は、前記画像形成手段が前記記録媒体上への画像形成を中止することによって画像形成動作を変更するよう制御することを特徴とする請求項９または１０のいずれか１項に記載の画像形成装置。
【請求項１２】
前記制御手段は、前記画像形成手段による画像形成後の記録媒体の排紙先を変更することによって画像形成動作を変更するよう制御することを特徴とする請求項９また１０のいずれか１項に記載の画像形成装置。
【請求項１３】
記録媒体上に画像を形成する画像形成手段を有する画像形成装置の制御方法において、
記録媒体に付加された非接触ＩＣチップに対して少なくとも情報の書き込み動作を非接触で行う書き込み工程と、
前記書き込み工程で前記記録媒体に付加された非接触ＩＣチップに対して行われた情報の書き込み動作の結果に応じて前記画像形成手段が前記記録媒体上への画像形成を行うか否かを制御する制御工程と、
を有することを特徴とする制御方法。
【請求項１４】
記録媒体に付加された非接触ＩＣチップに対して情報の書き込み動作を非接触で行う書き込み手段を有し、画像を記録媒体上に形成する画像形成装置の制御方法において、
前記書き込み手段によって記録媒体に付加された非接触ＩＣチップに対して情報の書き込み動作を行う書き込み工程と、
前記書き込み工程において前記非接触ＩＣチップに対して正しく情報を書き込んだか否かに基づいて画像形成動作を変更するよう制御する制御工程と、
を有することを特徴とする制御方法。
【請求項１５】
記録媒体に付加された非接触ＩＣチップに対して少なくとも情報の読み出し動作を非接触で行う読み出し手段を有し、画像を記録媒体上に形成する画像形成装置の制御方法において、
前記読み出し手段によって記録媒体に付加された非接触ＩＣチップからの情報の読み出し動作を非接触で行う読み出し工程と、
前記読み出し工程において前記非接触ＩＣチップから正しく情報を読み出したか否かに基づいて画像形成動作を変更するよう制御する制御工程と、
を有することを特徴とする制御方法。
【請求項１６】
記録媒体上に画像を形成する画像形成手段を有する画像形成装置を制御するための制御方法において、
記録媒体に付加された非接触ＩＣチップに対して少なくとも情報の書き込み動作を非接触で行う書き込み工程と、
前記書き込み工程で記録媒体に付加された非接触ＩＣチップに対して行われた情報の書き込み動作の結果に応じて前記画像形成手段が前記記録媒体上への画像形成を行うか否かを制御する制御工程と、
を有することを特徴とする制御方法。
【請求項１７】
記録媒体に付加された非接触ＩＣチップに対して情報の書き込み動作を非接触で行う書き込み手段を有し、画像を記録媒体上に形成する画像形成装置を制御するためのプログラムにおいて、
前記書き込み手段によって記録媒体に付加された非接触ＩＣチップ対して情報の書き込み動作を非接触で行う書き込みモジュールと、
前記書き込みモジュールにおいて前記非接触ＩＣチップに対して正しく情報が書き込まれたか否かに基づいて画像形成動作を変更するよう制御する制御モジュールと、
を有することを特徴とするプログラム。
【請求項１８】
記録媒体に付加された非接触ＩＣチップに対して情報の読み出し動作を非接触で行う読み出し手段を有し、画像を記録媒体上に形成する画像形成装置を制御するためのプログラムにおいて、
前記読み出し手段によって記録媒体に付加された非接触ＩＣチップからの情報の読み出し動作を非接触で行う読み出しモジュールと、
前記読み出しモジュールにおいて前記非接触ＩＣチップから正しく情報を読み出したか否かに基づいて画像形成動作を変更するよう制御する制御モジュールと、
を有することを特徴とするプログラム。
【請求項１９】
請求項１７または１８のいずれか１項のプログラムを格納したコンピュータ読み出し可能な記憶媒体。
【手続補正２】
【補正対象書類名】明細書
【補正対象項目名】０００９
【補正方法】変更
【補正の内容】
【０００９】
本発明は、上記目的を達成するため、記録媒体上に画像を形成する画像形成手段と、前記記録媒体に付加された非接触ＩＣチップに対して少なくとも情報の書き込み動作を非接触で行うことが可能な書き込み手段と、前記書き込み手段により前記記録媒体に付加された非接触ＩＣチップに対して行われた情報の書き込み動作の結果に応じて前記画像形成手段が前記記録媒体上への画像形成を行うか否かを制御する制御手段と、を有することを特徴とする画像形成装置を提供する。
【手続補正３】
【補正対象書類名】明細書
【補正対象項目名】００１０
【補正方法】変更
【補正の内容】
【００１０】
本発明は、上記目的を達成するため、記録媒体上に画像を形成する画像形成手段と、前記記録媒体に付加された非接触ＩＣチップに対して情報の書き込み動作を非接触で行う書き込み手段と、前記書き込み手段が前記記録媒体に付加された非接触ＩＣチップに対して正しく情報を書き込んだか否かに基づいて前記画像形成手段による画像形成動作を変更するよう制御する制御手段と、を有することを特徴とする画像形成装置を提供する。
【手続補正４】
【補正対象書類名】明細書
【補正対象項目名】００１１
【補正方法】変更
【補正の内容】
【００１１】
本発明は、上記目的を達成するため、記録媒体上に画像を形成する画像形成手段と、前記記録媒体に付加された非接触ＩＣチップに対して情報の読み出し動作を非接触で行う読み出し手段と、前記読み出し手段が記録媒体に付加された非接触ＩＣチップから正しく情報を読み出したか否かに基づいて、前記画像形成手段による画像形成動作を変更するよう制御する制御手段と、を有することを特徴とする画像形成装置を提供する。
【手続補正５】
【補正対象書類名】明細書
【補正対象項目名】００１２
【補正方法】変更
【補正の内容】
【００１２】
本発明は、上記目的を達成するため、記録媒体上に画像を形成する画像形成手段を有する画像形成装置の制御方法において、記録媒体に付加された非接触ＩＣチップに対して少なくとも情報の書き込み動作を非接触で行う書き込み工程と、前記書き込み工程で前記記録媒体に付加された非接触ＩＣチップに対して行われた情報の書き込み動作の結果に応じて前記画像形成手段が前記記録媒体上への画像形成を行うか否かを制御する制御工程と、を有することを特徴とする制御方法を提供する。
【手続補正６】
【補正対象書類名】明細書
【補正対象項目名】００１３
【補正方法】変更
【補正の内容】
【００１３】
本発明は、上記目的を達成するため、記録媒体に付加された非接触ＩＣチップに対して情報の書き込み動作を非接触で行う書き込み手段を有し、画像を記録媒体上に形成する画像形成装置の制御方法において、前記書き込み手段によって記録媒体に付加された非接触ＩＣチップに対して情報の書き込み動作を行う書き込み工程と、前記書き込み工程において前記非接触ＩＣチップに対して正しく情報を書き込んだか否かに基づいて画像形成動作を変更するよう制御する制御工程と、を有することを特徴とする制御方法を提供する。
【手続補正７】
【補正対象書類名】明細書
【補正対象項目名】００１４
【補正方法】変更
【補正の内容】
【００１４】
本発明は、上記目的を達成するため、記録媒体に付加された非接触ＩＣチップに対して少なくとも情報の読み出し動作を非接触で行う読み出し手段を有し、画像を記録媒体上に形成する画像形成装置の制御方法において、前記読み出し手段によって記録媒体に付加された非接触ＩＣチップからの情報の読み出し動作を非接触で行う読み出し工程と、前記読み出し工程において前記非接触ＩＣチップから正しく情報を読み出したか否かに基づいて画像形成動作を変更するよう制御する制御工程と、を有することを特徴とする制御方法を提供する。
【手続補正８】
【補正対象書類名】明細書
【補正対象項目名】００１５
【補正方法】変更
【補正の内容】
【００１５】
本発明は、上記目的を達成するため、記録媒体上に画像を形成する画像形成手段を有する画像形成装置を制御するための制御方法において、記録媒体に付加された非接触ＩＣチップに対して少なくとも情報の書き込み動作を非接触で行う書き込み工程と、前記書き込み工程で記録媒体に付加された非接触ＩＣチップに対して行われた情報の書き込み動作の結果に応じて前記画像形成手段が前記記録媒体上への画像形成を行うか否かを制御する制御工程と、を有することを特徴とする制御方法を提供する。
【手続補正９】
【補正対象書類名】明細書
【補正対象項目名】００１６
【補正方法】変更
【補正の内容】
【００１６】
本発明は、上記目的を達成するため、記録媒体に付加された非接触ＩＣチップに対して情報の書き込み動作を非接触で行う書き込み手段を有し、画像を記録媒体上に形成する画像形成装置を制御するためのプログラムにおいて、前記書き込み手段によって記録媒体に付加された非接触ＩＣチップ対して情報の書き込み動作を非接触で行う書き込みモジュールと、前記書き込みモジュールにおいて前記非接触ＩＣチップに対して正しく情報が書き込まれたか否かに基づいて画像形成動作を変更するよう制御する制御モジュールと、を有することを特徴とするプログラムを提供する。
【手続補正１０】
【補正対象書類名】明細書
【補正対象項目名】００１７
【補正方法】変更
【補正の内容】
【００１７】
本発明は、上記目的を達成するため、記録媒体に付加された非接触ＩＣチップに対して情報の読み出し動作を非接触で行う読み出し手段を有し、画像を記録媒体上に形成する画像形成装置を制御するためのプログラムにおいて、前記読み出し手段によって記録媒体に付加された非接触ＩＣチップからの情報の読み出し動作を非接触で行う読み出しモジュールと、前記読み出しモジュールにおいて前記非接触ＩＣチップから正しく情報を読み出したか否かに基づいて画像形成動作を変更するよう制御する制御モジュールと、を有することを特徴とするプログラムを提供する。
【手続補正１１】
【補正対象書類名】明細書
【補正対象項目名】００１８
【補正方法】変更
【補正の内容】
【００１８】
本発明は、上記目的を達成するため、上記プログラムのいずれかを格納したコンピュータ読み出し可能な記憶媒体を提供する。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】